(57)【特許請求の範囲】
【請求項１】
軸の少なくとも一端に清掃体部を有し、前記清掃体部の表面の少なくとも一部が水及び水溶性高分子及びシリカ粉体を含む水溶性高分子組成物からなり、
前記水溶性高分子は、ポリアクリル酸及びその塩、ポリメタクリル酸及びその塩、並びに、アクリル酸及び／又はその塩を構成単位の一部とする共重合体からなる群から選択される１以上の重合体であり、
水溶性高分子組成物は、ゲル強度が６０〜１００ｇであることを特徴とする身体用清掃具。
【請求項２】
水溶性高分子組成物は、含水率が３０〜９５質量％である請求項１記載の身体用清掃具。
【請求項３】
ポリアクリル酸及びその塩、ポリメタクリル酸及びその塩、並びに、アクリル酸及び／又はその塩を構成単位の一部とする共重合体からなる群から選択される１以上の重合体は、アンモニウム塩、カリウム塩又はナトリウム塩である請求項１又は２記載の身体用清掃具。
【請求項４】
水溶性高分子組成物は、更に、多価アルコール及び／又は糖類を含む請求項１、２又は３記載の身体用清掃具。
【請求項５】
前記清掃体部は、略紡錘形状である請求項１、２、３又は４記載の身体用清掃具。
【発明の詳細な説明】
【技術分野】
【０００１】
本発明は、清掃具に関する。
【背景技術】
【０００２】
従来より、軸部と清掃体部とを有する清掃具が一般的に利用されている。このような清掃具としては綿棒がよく知られており、耳、鼻等の身体各部の清掃具としてだけでなく、精密機器等の微細な部品の清掃具としても広く使用されている。しかし、一般的な綿棒の綿球部は単に綿繊維を軸に巻きつけただけであるため、汚れを完全に除去するのは容易ではない。そこで、このような綿棒を改良するものとして、綿球部に粘着剤を塗布した、いわゆる粘着綿棒が開発されている。
【０００３】
特許文献１には、粘着剤としてアクリル系粘着剤、ウレタン系粘着剤、ゴム系粘着剤などを使用した綿棒が開示されている。また、特許文献２には、ロジン等の粘着付与剤を含有した種々の合成ゴム、合成樹脂からなる粘着剤を綿球部表面に保持した綿棒が開示されている。このような粘着綿棒は、汚れを除去しやすくなるものの、合成樹脂の感触が好ましいものではなかった。いずれも水を高配合したものではないため、特に水溶性の有効成分を配合し、放出する効果を期待できるものではなかった。更に、従来の綿棒においては綿球部に水溶性液体を含侵させたものは存在するが、水分の保持能力が充分ではないため、水分が垂れ落ちるという問題を生じることがあった。更に、表面に粘着性を有するものではないことから、汚れの除去能の向上が得られるわけではない。
【０００４】
特許文献３には、殺菌剤をバインダーで含浸固着させた綿体が設けられている抗菌性綿棒が開示されている。上記バインダーとしては、メチルセルロース、エチルセルロースなどのセルロース系、澱粉、アクリル系エマルジョン、塩化ビニール系エマルジョンなどが用いられている。しかしながら、抗菌剤を綿体部に固着させることが目的であって、汚れの除去しやすさ、これらのバインダー自体の感触や機能等を期待したものではなかった。
【先行技術文献】
【特許文献】
【０００５】
【特許文献１】特開２００２−３４８３０号公報
【特許文献２】特表２００１−３４６７１０号公報
【特許文献３】特開平５−１３７７５３号公報
【発明の概要】
【発明が解決しようとする課題】
【０００６】
本発明は、このような事情に鑑みなされたものであって、汚れを除去しやすく、好感触であり、有効成分を容易に配合することができる清掃具を提供することを目的とするものである。
【課題を解決するための手段】
【０００７】
本発明は、軸の少なくとも一端に清掃体部を有し、上記清掃体部の表面の少なくとも一部が水及び水溶性高分子を含む水溶性高分子組成物からなることを特徴とする清掃具である。
上記水溶性高分子組成物は、含水率が３０〜９５質量％であることが好ましい。
上記水溶性高分子は、ポリアクリル酸及びその塩、ポリメタクリル酸及びその塩、並びに、アクリル酸及び／又はその塩を構成単位の一部とする共重合体からなる群から選択される１以上の重合体であることが好ましい。
上記ポリアクリル酸及びその塩、ポリメタクリル酸及びその塩、並びに、アクリル酸及び／又はその塩を構成単位の一部とする共重合体からなる群から選択される１以上の重合体は、アンモニウム塩、カリウム塩又はナトリウム塩であることが好ましい。
上記水溶性高分子組成物は、更に、多価アルコール及び／又は糖類を含むことが好ましい。
上記清掃体部は、略紡錘形状であることが好ましい。
【発明の効果】
【０００８】
本発明によって、汚れをかき取りやすく、かつ、感触に優れ、有効成分を容易に配合することができる清掃具を提供できる。
【図面の簡単な説明】
【０００９】
【図１】本発明の清掃具の一例を示す図である。
【図２】本発明の清掃具の一例を示す図である。
【図３】本発明の清掃具の一例を示す図である。
【図４】本発明の清掃具の一例を示す図である。
【図５】本発明の清掃具の一例を示す図である。
【図６】本発明の清掃具の一例を示す図である。
【図７】本発明の清掃具の一例を示す図である。
【図８】本発明の清掃具の一例を示す図である。
【図９】本発明の清掃具の一例を示す図である。
【図１０】本発明の清掃具の一例を示す図である。
【図１１】本発明の清掃具の一例を示す図である。
【図１２】本発明の清掃具の一例を示す図である。
【符号の説明】
【００１０】
１  軸
２  清掃体部
４  環状溝
５  皮膜層
６  接着層
【発明を実施するための形態】
【００１１】
本発明の清掃具は、清掃体部の少なくとも表面に水及び水溶性高分子を含む水溶性高分子組成物を有することを特徴とするものであり、当該水溶性高分子組成物の含水率は３０〜９５質量％であることが好ましい。このように水を含む組成物からなる表面を有することにより、清涼感など良好な感触を与えつつ、汚れを好適に除去することができる。さらに、上記水溶性高分子組成物に有効成分を添加した場合、使用時に耳や鼻等に清掃具を押し付けた際に、有効成分が放出されるため、目的に応じた効果を得ることもできる。
【００１２】
上記清掃体部は、一部又は全部が上記水溶性高分子組成物からなるものである。すなわち、棒形状の少なくとも一端を所定の形状に成形した成形体の清掃体部に上記水溶性高分子組成物による皮膜を形成させたもの（図４）、上記水溶性高分子組成物を略紡錘形状等の清掃に適した形状に成形したものを製造し、これを軸部と接着剤によって接着したもの（図５）、等を挙げることができる。これらの製造方法や、水溶性高分子以外に使用する原料（軸部、接着剤等）としては特に限定されず、公知の任意のものを使用することができる。
【００１３】
上記水溶性高分子としては、組成物全体において含水した状態で自己形態保持性を有するゲル組成物を構成するものであれば、特にその種類は限定されない。上記水溶性高分子は、天然水溶性高分子及び合成水溶性高分子のいずれをも用いることができ、またこれらの混合物を用いることもできる。天然の水溶性高分子では特に多糖類が好ましい。天然の水溶性高分子の具体例としては、カラギーナン、ローカストビーンガム、グルコマンナン、寒天、アガロース、キサンタンガム、グアーガム、ジェランガム、タマリンドシードガム、カラヤガム、ペクチン、ゼラチン等が挙げられる。
【００１４】
また、合成の水溶性高分子の具体例としては、カルボキシメチルセルロース、カルボキシメチルセルロースナトリウム、カルボキシビニルポリマー、ポリアクリル酸、ポリメタクリル酸、アクリル酸・メタクリル酸共重合体、ポリビニルアルコール、アルギン酸、グラフトデンプン、アガロース、ポリグルタミン酸、アーネストガム又はそれらの塩及び部分中和物等が挙げられる。必要に応じて、上記水溶性高分子と塩化カリウム、乳酸カルシウム等の架橋剤を併用してゲル強度を高めることもできる。
上記水溶性高分子は、１種又は２種以上の混合物として用いることができる。
【００１５】
上記水溶性高分子は、ポリアクリル酸及びその塩、ポリメタクリル酸及びその塩、並びに、アクリル酸及び／又はその塩を構成単位の一部とする共重合体からなる群から選択される１以上の重合体であることがより好ましく、アクリル酸・メタクリル酸共重合体が特に好ましい。上記ポリアクリル酸及びその塩、ポリメタクリル酸及びその塩、並びに、アクリル酸及び／又はその塩を構成単位の一部とする共重合体からなる群から選択される１以上の重合体を使用することにより、水を安定に含有することができるため好ましい。上記ポリアクリル酸及びその塩、ポリメタクリル酸及びその塩、並びに、アクリル酸及び／又はその塩を構成単位の一部とする共重合体からなる群から選択される１以上の重合体としては、これらのアンモニウム塩、カリウム塩又はナトリウム塩であることがより好ましく、なかでも、ナトリウム塩であることが好ましい。上記重合体の塩としては、２種以上の混合物として用いることもできる。
【００１６】
上記水溶性高分子としては、ゲル強度が６０〜１００ｇ程度のものが適当である。ここでのゲル強度は、例えば、直径０．５インチのプランジャーを備えたレオメーターを用いて、６ｃｍ／分の速度で、プランジャーを水溶性高分子のゲル体表面を４ｍｍ押し下げるのに必要な力をグラム数で表した強度を示す。
【００１７】
上記水溶性高分子組成物は、含水率が３０〜９５質量％であることが好ましい。含水率が３０質量％未満であると、良好な感触が得られないおそれがある。９５質量％を超えると、汚れを除去するために必要なゲル強度が得られない場合がある。上記含水率は、４０〜７０質量％であることがより好ましい。
【００１８】
上記水溶性高分子組成物は、更に、多価アルコール及び／又は糖類を含むことが好ましい。上記多価アルコール及び／又は糖類としては特に限定されず、例えば、ブチレングリコール、ポリエチレングリコール、濃グリセリン、ジプロピレングリコール、ソルビトール、トレハロース、マルチトール、マルトース、グルコース、キシリトール等を挙げることができる。上記多価アルコール及び／又は糖類は、１種又は２種以上の混合物として用いることができる。
【００１９】
上記多価アルコール及び／又は糖類を配合する場合、その配合量は水溶性高分子組成物全量に対して、１〜４０質量％であることが好ましい。上記範囲内のものとすることで、使用時のしっとり感ややわらか感がよいという点で好ましいものである。
【００２０】
本発明において、上記水溶性高分子組成物はシリカ粉体を含有するものであってもよい。シリカ粉体を添加することによって、上記水溶性高分子組成物のゲル強度が高くなるため、使用時にゲルが崩壊したりして、うまく洗浄できなくなることを防ぎやすくなる点で好ましい。
【００２１】
上記シリカ粉体は、平均粒径２〜１０μｍの範囲のものが好適に用いられる。平均粒径が１０μｍよりも大きいときは水溶性高分子組成物中で沈降し易くて均一な混合物が得られ難く、最終的な基剤の強度に斑が生じる点で好ましくない。反対に、平均粒径が２μｍよりも小さい場合は混合したゲル状組成物の粘度が高くなり過ぎて製剤性・成形性が乏しくなる点で好ましくない。特に多孔性である合成シリカ粉体はゲル基剤の透明性を阻害し難いので好ましい。尚、上記の平均粒径の測定はレーザー法（ＪＩＳ  Ｋ  １１５０）による。
【００２２】
上記水溶性高分子組成物は、透明であってもよく、着色されたものであってもよい。透明にする場合は、上記水溶性高分子として透明度の高い高分子を選択すればよい。また、着色する場合は、上記水溶性高分子組成物に着色料を配合する等の方法により着色することができる。例えば、上記着色料としては特に限定されず、通常化粧料等に使用される着色料を挙げることができる。具体的には、黄色４号、黄色５号、青色１号、青色２号、赤色２２６号、カラメル、銅クロロフィル、クチナシ、ウコン、ベニバナなど天然由来の色素、酸化亜鉛、酸化チタン、カーボンブラック、薬用炭、酸化鉄、赤色２２７号などのアルミニウムレイキ顔料、銀、金等を挙げることができる。
【００２３】
上記水溶性高分子組成物は、図４に示したもののように、所定の形状に成形した成形体上に皮膜を形成する方法で使用する場合は、上記水溶性高分子組成物を成形された清掃体部に、例えば塗布、噴霧、含浸処理等をすることにより得ることができる。また、シート状に成形した組成物を清掃体部の表面に貼付したものであってもよい。上記皮膜層の厚みとしては特に限定されないが、０．０１〜５ｍｍであることが好ましい。
【００２４】
上記水溶性高分子組成物は、図５に示したもののように、清掃体部の形状に成形して使用する場合は、加熱した組成物を型に流し込んで冷却する方法等によって製造することができる。
【００２５】
上記水溶性高分子組成物は、水溶性高分子を必要に応じて湿潤剤にて湿潤させた後、適量の水に懸濁させ、さらに所定量まで水を添加し、これを７０〜１００℃程度の温度雰囲気下にて溶解させることにより得ることができる。得られた組成物を塗布、噴霧、含浸処理等をした後で２０〜６０℃程度に冷却してゲル化しても、２０〜６０℃程度に冷却してゲル化させた上でシート状に成形してもよい。上記湿潤、懸濁の際や冷却の際に、アロマオイルや活性成分としての薬剤（例えば、消炎剤、鎮痛剤、鎮痒剤、ビタミン等）又は化粧料有効成分（収斂剤、痩身成分、コラーゲン等）を添加してもよいし、医薬、化粧品および食品の分野において使用される添加剤、例えば、防腐剤、殺菌剤、香料、着色剤、抗酸化剤、増粘剤、清涼剤（エタノール等）、界面活性剤等を添加してもよい。
【００２６】
アロマオイルとしては、一般にアロマテラピーに用いられる精油成分（精油類）をそのまま用いることができる。この精油成分としては、例えば、ワンダー・セラー著「アロマテラピーのための８４の精油成分」、フレグランスジャーナル社に記載されているものが挙げられる。具体的には、アニス、アンジェリカ、安息香、イモーテル、カモミール、ガーリック、カルモダン、ガルバナム、キャラウェイ、キャロットシード、グアヤックウッド、グレープフルーツ、サイブレス、シダーウッド、スターアニス、セージ、ゼラニウム、セロリ、タイム、タラゴン、テレピン、乳香、バイオレット、パイン、パセリ、フェンネル、ブラックペッパ、ボダイジュ花、レモン、レモングラス、ローズマリー、ローレル、シモツケギク、シモツケソウ、ヤグルマギク、アーモンド、アルニカ、ウイキョウ、エニシダ、クレソン、ゲンチアナ、ショウノウ、スモモ、セイヨウナシ、タイソウ、タンポポ、チモ、チョレイ、トウガシ、ノイバラ、ハッカ、トネリコ、ブクリョウ、メリッサ、モモ、ヤドリギ、ユーカリ、ヨクイニン、ラベンダ、レンギョウ等からの抽出物が挙げられる。
【００２７】
化粧料有効成分や添加剤としては、当該分野で公知のものを使用することができる。収斂剤、痩身成分、コラーゲンなどで、ホスホジエステラーゼ活性阻害剤、脂肪細胞分化抑制剤、血行促進剤、リパーゼ活性促進剤等の痩身成分、具体的にはハマメリス、メントール及びその誘導体、キューカンバーエキス、ラズベリーケトンやカフェイン、テオフィリン、ハマメリスエキス、カカオエキス、大豆サポニン等のキサンチン誘導体や海草エキス、海藻エキス、カプサイシン、海洋性コラーゲン、植物性コラーゲンなどが好適なものとして挙げられるがこれらに限定されるものでもない。
【００２８】
薬剤としては、例えば、金、銀、銅等からなる金属類から加工したイオン水、コロイド水及びその坦持体及び誘導体、塩化ベンザルコニウム、クロロヘキシジン誘導体、塩素系殺菌成分、メントール、カンフル、インドメタシン、ケトプロフェン、ジクロフェナック、オオバクエキス、グリチルリチン酸ジカリウム、ヒアルロン酸、アルブチン、酢酸トコフェロール、アラントイン、ビタミンＣ及びその誘導体並びにその塩類、水溶性アズレン、アクリノール等が挙げられる。これらの薬剤は、高分子膜で包んだ粒状体又は多孔性粒子に担持させた粒状体として用いてもよい。
【００２９】
次に、本発明の清掃具の形状について、図を挙げて説明する。図１〜図５は、本発明の清掃具の例を示したものである。
上記清掃具は、軸１の一端又は両端に清掃体部２を有するものである、上記清掃体部の形状は、清掃を行うことができる形状であれば特に限定されないが、例えば、略紡錘形状とすることができる。略紡錘形状とは、およそ紡錘形状に近い形状をしたものを指し、厳密には紡錘形状ではないが、耳の中の清浄、電子機器の隙間の清浄等に適したような紡錘形状に類似した形状のものも包含するものである。その形状としては図２のような形状等を挙げることもできる。また、上記清掃体部は、汚れを取りやすくするために、図１１のような先の尖った形状とすることもできる。更に、上記清掃体部は、図３に示したもののように紡錘形状に多数の環状溝４を横に形成したものであってもよく、図１２のように多数の環状溝４を縦に形成したものであってもよい。
【００３０】
上記清掃体部２は、軸１の端部に綿繊維を巻き付けて作るもの、樹脂成形体によって成形したもの、上記水溶性高分子によって形状を得たもの（図５）のいずれであってもよい。樹脂成形体によって成形したものは、図４に示したように、清掃体部に皮膜層５として、水溶性高分子組成物層を形成するものであってもよい。
【００３１】
また、図６のように両端に清掃体部２を有するものであってもよく、図７のように一端に皮膜層５を有する清掃体部２を配し、もう一端に水溶性高分子組成物を有さない清掃体部を配したものであってもよい。また、図８のように軸の一端が耳かき形状を有していてもよく、図９のように軸の両端が湾曲し、清掃体部２を有するものであってもよい。
また、図１０のように、軸の一端に耳かき形状で、かつ、水溶性高分子組成物を有する清掃体部を形成したものであってもよい。
【００３２】
上記軸１としては特に限定されず、プラスチック芯、紙芯等の従来清掃具において使用されている軸を使用することができる。
【００３３】
このようにして得られた清掃具は、流通・販売の際には、水溶性高分子組成物の水分量を一定に保つために、バリア性が高い容器中に充填することが好ましい。このようなバリア性が高い容器としては、アルミ層を有するシート状物をヒートシールすることによって得られるアルミパウチ等を挙げることができる。
【００３４】
本発明の清掃具は、耳、鼻等の身体各部の清掃用具として好適に使用されるものであるが、精密機器などの清掃にも使用することができる。
【実施例】
【００３５】
以下、実施例によって本発明を更に詳細に説明する。なお、本発明は以下の実施例に限定されるものではない。
（ゲル状組成物の調製）
ゲル状組成物の全量を１００質量％として、以下の処方のゲル状組成物を調製した。なお、調製例１〜１１において、共通するゲル状組成物の調製方法は次のとおりである。
先ず別の容器に試料量の水をとり、そこに架橋剤を添加しておく。別途、カッパーカラギーナン、ローカストビーンガム、グルコマンナン、ポリアクリル酸部分中和物等のゲル成分を、約半量のブチレングリコールによく攪拌しながら少量ずつ加えた後、これにシリカ粉体を少量ずつ添加してよく攪拌し、ゲル成分・シリカ粉体湿潤液を得る。なお、ゲル成分は予め少量のエタノールに湿潤・分散させておいてもよい。一方、残りのブチレングリコールに防腐剤（パラベン）及びポリエチレングリコール並びに有効成分（ラズベリケトン、カフェイン、茶エキス、海藻エキス、糖成分）を加え、加温下で攪拌しながら完全に溶解させ、ブチレングリコール溶液を得る。このブチレングリコール溶液の粗熱がとれたら、これを少量ずつ上記のゲル成分・シリカ粉体湿潤液によく攪拌しながら添加する。次いでこれを、残りの水にソルビトールを加えたものによく攪拌しながら加え、ゲル成分を膨潤させる。得られたゲル成分膨潤液を８０〜８５℃程度に加熱し、膨潤したゲル成分が均一に溶解したら、これに別途用意した架橋剤水溶液を攪拌下に滴下して加え、８０〜８５℃にて約３０分間程維持する。その後、７０〜７５℃に調節したウォーターバスに浸して溶液温度を降下させると共に、この溶液内の気泡が排除されるのを待つ。このようにしてゲル状組成物の加熱溶液が調製される。
【００３６】
（清掃具の製造）
清掃具の製造方法は以下の通りである。常法に従い．軸（プラスチック）を製造し、軸の端に接着剤を塗布し、冷却した調製液を巻き付け、成形、熟成、乾燥し、図１の清掃具を得た。
【００３７】
実施例１
下記調製例１の処方において、カルボキシビニルポリマーとポリアクリル酸ナトリウムをソルビトール、ブチレングリコール、一部の水に分散させ、その他の成分を添加し練合し、その後乾燥させると同時に架橋反応を行わせた。次に、上述の方法により、図１の清掃具を得た。
【００３８】
調製例１：
カルボキシビニルポリマー                                ０．６質量％
ポリアクリル酸ナトリウム                                ８．５質量％
架橋剤（メタケイ酸アルミン酸Ｍｇ）                      ０．０２質量％
シリカ粉体（サイロピュア２５）                          ３質量％
銀粉末                                                  ０．５質量％
ソルビトール                                            ５質量％
ブチレングリコール                                      ２０質量％
ポリエチレングリコール                                  １質量％
パラベン                                                ０．２質量％
水                                                      残部
【００３９】
（評価方法）
得られた清掃具を用いて、１０名で耳内を清掃し、以下の項目について評価した。各項目につき１〜５点で評価し、その平均を表１に示す。比較例１として、綿を巻きつけた清掃具を用いた。なお、１点悪、５点良とし、点数が高いほど良好な結果である。
【００４０】
【表１】
0005797420.tif 000002
【００４１】
実施例２、比較例２〜４
下記表２の処方にしたがい、常法にて一部の水に分散させ、その他の成分を添加し練合し、その後乾燥させると同時に架橋反応を行わせた。次に、上述の方法により、図２の清掃具を得た。
【００４２】
得られた各清掃具について、１１名で耳内を清掃し、表２に示した各項目について評価した。各項目につき１〜５点で評価し、その平均を表２に示す。なお、１点を悪、５点を良とし、点数が高いほど良好な結果である。離水については下記の基準にしたがって安定性を評価した。
得られた各清掃具を透明袋に入れ４方シールしたものを４０℃、６ヶ月、湿度７５％の恒温槽（暗所）にいれ、同様に室温にて暗所に保管したものとそれぞれ比較し、観察した。
◎：４０℃、６ヶ月経過してもゲルの離水、形状、におい、色の変化全くなし
○：４０℃、６ヶ月経過してもゲルの離水、形状、におい、色の変化なし
△：４０℃、６ヶ月経過後室温に比べわずかにゲルの離水、形状、におい、色の変化あり
×：４０℃、６ヶ月経過後室温に比べ明らかにゲルの離水、形状、におい、色の変化あり
【００４３】
【表２】
0005797420.tif 000003
【００４４】
（実施例６〜１４）
下記調製例６〜１４の処方に従い、実施例１と同様の方法により、図１の清掃具を得た。
【００４５】
調製例６：
塩化ジメチルジアリルアンモニウム・ アクリルアミド共重合体     ５．０質量％
ポリビニルアルコール                                          １．５質量％
グルコマンナン                                                ０．３質量％
カオリン                                                      ０．２質量％
ポリアクリル酸ナトリウム                                      ０．０５質量％
架橋剤（水酸化マグネシウム）                                  ０．０２質量％
金粉末                                                        ３質量％
コラーゲン                                                    ０．１質量％
ソルビトール                                                  ５質量％
濃グリセリン                                                  １５質量％
ポリエチレングリコール                                        １質量％
パラベン                                                      ０．２質量％
水                                                              残部
【００４６】
調製例７：
カルボキシビニルポリマー                                      １．０質量％
アクリル酸アルキルコポリマー                                  ０．３質量％
ローカストビーンガム                                          ０．２質量％
ポリアクリル酸ナトリウム                                      ０．０５質量％
架橋剤（メタケイ酸アルミン酸Ｍｇ）                            ０．０２質量％
シリカ粉体（サイロピュア３５）                                ３質量％
金イオン水                                                    ０．２％
銀イオン水                                                    ０．２％
ラズベリケトン                                                ０．５質量％
ソルビトール                                                  ５質量％
ブチレングリコール                                            １０質量％
ポリエチレングリコール                                        １質量％
パラベン                                                      ０．２質量％
水                                                            残部
【００４７】
調製例８：
カッパーカラギーナン                                          ０．５質量％
グルコマンナン                                                ０．３質量％
ローカストビーンガム                                          ０．２質量％
ポリアクリル酸ナトリウム                                      ０．０５質量％
架橋剤（メタケイ酸アルミン酸Ｍｇ）                            ０．０２質量％
シリカ粉体（サイロピュア３５）                                ３質量％
塩化ベンザルコニウム                                          ０．１質量％
マリンプラセンタエキス                                        ０．１質量％
カフェイン                                                    ０．１質量％
さとうきびエキス                                              ０．１質量％
濃グリセリン                                                  ５質量％
ブチレングリコール                                            １０質量％
ポリエチレングリコール                                        １質量％
パラベン                                                      ０．２質量％
水                                                            残部
【００４８】
調製例９：
カッパーカラギーナン                                          ０．６質量％
ポリグルタミン酸                                              ０．４質量％
ローカストビーンガム                                          ０．２質量％
ポリアクリル酸ナトリウム                                      ０．０５質量％
架橋剤（メタケイ酸アルミン酸Ｍｇ）                            ０．０２質量％
シリカ粉体（サイロピュア３５）                                ３質量％
甜菜粉末                                                      ０．５質量％
２水素化マグネシウム                                          ０．１質量％
太古海水                                                      ０．１質量％
海藻エキス                                                    ０．１質量％
トレハロース（糖成分）                                        ２質量％
ソルビトール                                                  ５質量％
ブチレングリコール                                            １０質量％
ポリエチレングリコール                                        １質量％
パラベン                                                      ０．２質量％
水                                                            残部
【００４９】
調製例１０：
カッパーカラギーナン                                          ０．６質量％
グルコマンナン                                                ０．４質量％
ローカストビーンガム                                          ０．２質量％
ポリアクリル酸ナトリウム                                      ０．０５質量％
架橋剤（水酸化マグネシウム）                                  ０．０２質量％
シリカ粉体（サイロピュア３５）                                ３質量％
ラズベリケトン                                                ０．５質量％
茶エキス                                                      ０．１質量％
カフェイン                                                    ０．１質量％
海藻エキス                                                    ０．１質量％
マルチトール（糖成分）                                        ２質量％
ソルビトール                                                  ５質量％
濃グリセリン                                                  ４０質量％
ポリエチレングリコール                                        １質量％
パラベン                                                      ０．２質量％
水                                                            残部
【００５０】
調製例１１：
ゼラチン                                                      ０．６質量％
酸化チタン                                                    ０．４質量％
ローカストビーンガム                                          ０．２質量％
ポリアクリル酸ナトリウム                                      １．５質量％
架橋剤（メタケイ酸アルミン酸Ｍｇ）                            ０．０２質量％
シリカ粉体（サイロピュア３５）                                ３質量％
ニンジンエキス                                                ０．５質量％
コラーゲン                                                    ０．１質量％
ウイキョウエキス                                              ０．１質量％
栗皮エキス                                                    ０．１質量％
マルトース（糖成分）                                          ２質量％
ソルビトール                                                  ５質量％
ジプロピレングリコール                                        ２５質量％
ポリエチレングリコール                                        １質量％
パラベン                                                      ０．２質量％
水                                                            残部
【００５１】
調製例１２：
ポリアクリル酸・メタクリル酸共重合体                          １．６質量％
酸化チタン                                                    ０．２質量％
ポリアクリル酸ナトリウム                                      ０．０５質量％
架橋剤（メタケイ酸アルミン酸Ｍｇ）                            ０．０２質量％
シリカ粉体（サイロピュア３５）                                ３質量％
ポリエチレン粉末                                              ０．５質量％
ウレタンパウダー                                              ０．１質量％
ビタミンＣ                                                    ０．１質量％
アスタキサンチン                                              ０．１質量％
精製白糖                                                      ２質量％
ソルビトール                                                  ５質量％
ブチレングリコール                                            １０質量％
ポリエチレングリコール                                        １質量％
パラベン                                                      ０．２質量％
水                                                            残部
【００５２】
調製例１３：
ゼラチン                                                      ０．６質量％
カオリン                                                      ０．４質量％
シルクエキス                                                  ０．２質量％
ポリアクリル酸ナトリウム                                      ２．５質量％
架橋剤（メタケイ酸アルミン酸Ｍｇ）                            ０．０２質量％
シリカ粉体（サイロピュア３５）                                ３質量％
シルクプロテイン                                              ０．５質量％
シルク末                                                      ０．１質量％
金・銀コロイド液                                              ０．１質量％
カカオ油                                                      ０．１質量％
ＧＡＢＡ                                                      ０．２質量％
ソルビトール                                                  ５質量％
ブチレングリコール                                            １０質量％
ポリエチレングリコール                                        １質量％
パラベン                                                      ０．２質量％
水                                                            残部
【００５３】
調製例１４：
カッパーカラギーナン                                          ０．６質量％
グルコマンナン                                                ０．４質量％
ローカストビーンガム                                          ０．２質量％
ポリアクリル酸ナトリウム                                      ０．０５質量％
架橋剤（メタケイ酸アルミン酸Ｍｇ）                            ０．０２質量％
シリカ粉体（サイロピュア３５）                                ３質量％
ラズベリケトン                                                ０．５質量％
茶エキス                                                      ０．１質量％
カフェイン                                                    ０．１質量％
海藻エキス                                                    ０．１質量％
キシリトール（糖成分）                                        ２質量％
ソルビトール                                                  ５質量％
ブチレングリコール                                            １０質量％
ポリエチレングリコール                                        １質量％
パラベン                                                      ０．２質量％
水                                                            残部
【００５４】
各実施例によって得られた清掃具は、従来の綿棒とは異なり、清涼感、みずみずしさ、しっとり感、やわらかさ等の使用時の感触に優れ、簡単に汚れを落とすことができるものであった。
【産業上の利用可能性】
【００５５】
本発明の清掃具は、良好な感触を有しつつ、汚れをかき取ることができるものである。また、皮膜層の含水率が高いことから、種々の有効成分を効果的に配合することが可能である。
【図１】
0005797420.tif 000004
【図２】
0005797420.tif 000005
【図３】
0005797420.tif 000006
【図４】
0005797420.tif 000007
【図５】
0005797420.tif 000008
【図６】
0005797420.tif 000009
【図７】
0005797420.tif 000010
【図８】
0005797420.tif 000011
【図９】
0005797420.tif 000012
【図１０】
0005797420.tif 000013
【図１１】
0005797420.tif 000014
【図１２】
0005797420.tif 000015